(57)【要約】【課題】識別情報の視認態様をより明確なものとすることのできる樹脂成形品を提供する。【解決手段】容器１は、略矩形板状の底壁部３と、底壁部３の長辺部から上方に突出する長辺側土台部４と、底壁部３の短辺部から上方に突出する短辺側土台部５とを具備する底壁構成部２と、長辺側土台部４に対して回動可能に取付けられた長辺側側壁部７と、短辺側土台部５に対して回動可能に取付けられた短辺側側壁部８とを備えている。底壁構成部２は樹脂によって一体的に形成されている。また、長辺側土台部４の外面側には、２次元コード１２を表示する情報表示部１１が設けられている。情報表示部１１は、長辺側土台部４の外面に対して印刷を行うことによって形成され、長辺側土台部４とは異なる色相の印刷層１３と、２次元コード１２に対応して、印刷層１３の一部にレーザー光が照射されることで当該印刷層１３の一部が除去された除去部１４とを有している。【選択図】      図１
2016003049.tif 000002
【特許請求の範囲】
【請求項１】
樹脂製の成形品本体と、
前記成形品本体の表面に設けられ、所定の識別情報を表示する情報表示部とを備え、
前記情報表示部は、
前記成形品本体の表面に対して印刷を行うことによって形成され、前記成形品本体とは異なる色相の印刷層と、
前記識別情報に対応して、前記印刷層の一部にレーザー光が照射されることで当該印刷層の一部が除去され、前記成形品本体の色相が露出した除去部とを有していることを特徴とする樹脂成形品。
【請求項２】
前記成形品本体の表面には凹部が形成され、
前記印刷層は、前記凹部の内側に形成されていることを特徴とする請求項１に記載の樹脂成形品。
【請求項３】
同一の態様をなす前記情報表示部が、前記成形品本体の線対称位置、又は、点対称位置に形成されていることを特徴とする請求項１又は２に記載の樹脂成形品。
【発明の詳細な説明】
【技術分野】
【０００１】
本発明は、識別情報が付された樹脂成形品に関するものである。
【背景技術】
【０００２】
一般に、容器等の樹脂成形品には、製造元や商品名等の識別情報が付されている。また、樹脂成形品にレーザー光を照射することで識別情報を表示する（レーザーマーキングを行う）といった技術がある（例えば、特許文献１等参照。）。当該技術では、成形品本体中に所定の添加剤が混入される。そして、レーザー光を照射した際に、熱により変色を起こすことにより、識別情報が表示されることとなる。
【先行技術文献】
【特許文献】
【０００３】
【特許文献１】特開平１−２５４７４３号公報
【発明の概要】
【発明が解決しようとする課題】
【０００４】
しかしながら、樹脂成形品において、所定の添加剤が含まれていない場合には、レーザーマーキングによる前記識別情報の表示を上手く行えないことが懸念される。また、レーザーマーキングのためだけに添加剤を加える場合には、コストの増加を招くおそれがある。さらに、添加剤を加える場合には、樹脂成形品そのものの色相がある程度限定されてしまう（所望とする色相にならない）ことが懸念される。
【０００５】
本発明は、上記例示した問題点等を解決するためになされたものであって、その目的は、識別情報の視認態様をより明確なものとすることのできる樹脂成形品を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．樹脂製の成形品本体と、
前記成形品本体の表面に設けられ、所定の識別情報を表示する情報表示部とを備え、
前記情報表示部は、
前記成形品本体の表面に対して印刷を行うことによって形成され、前記成形品本体とは異なる色相の印刷層と、
前記識別情報に対応して、前記印刷層の一部にレーザー光が照射されることで当該印刷層の一部が除去され、前記成形品本体の色相が露出した除去部とを有していることを特徴とする樹脂成形品。
【０００８】
手段１によれば、成形品本体の表面に対し成形品本体とは色相が異なる印刷層を形成し、その一部を除去することで、情報表示部における印刷層と除去部との色相差によって、識別情報を表示することができる。このため、成形品本体の構成材料においてレーザー光の照射によって熱的変化を生じるような添加剤が含まれていなくても、識別情報を明確に表示することができる。例えば、識別情報が２次元コードとして構成される場合には、２次元コードリーダーで確実に、かつ、精度よく識別情報の読取りを行うことができ、作業性の向上等を図ることができる。
【０００９】
また、本手段によれば、成形品本体に対し直接レーザー光の痕跡を形成するものではない。このため、樹脂成形品の製造段階における情報表示部に関する不良、例えば、印刷層や除去部の位置がずれている等の事態が発生した場合には、リムーバー（例えば、有機溶剤）等を用いて印刷層を除去し、情報表示部を形成し直すことができる。従って、情報表示部に関する不良が一旦発生しただけで樹脂成形品が不良品とされてしまう（リカバリーが困難又は不可能である）といった事態を回避することができる。さらに、印刷層の除去、及び、情報表示部の再形成といった作業を行うことで、樹脂成形品に付された識別情報の変更を行うことも可能となり、成形品本体のリユースを行うことができる。
【００１０】
また、成形品本体に直接レーザーマーキングを行うためだけに、成形品本体の構成材料に前記添加剤を混入するといったことが必要ないことから、製造コストの増加を抑制することができる。さらに、構成材料に前記添加剤が含まれていない既存の樹脂成形品に対しても、いわば後付けで、本手段１の情報表示部を形成することができ、既存の樹脂成形品の有効利用を図ることができる。加えて、成形品本体の色相が前記添加剤に左右されてしまうといった事態を回避することができるとともに、成形品本体と印刷層との色相差があれば識別情報を視認したり読取ったりできるため、成形品本体の色相を自由に設定することができる。また、成形品本体に直接レーザーマーキングを行う場合に比べ、レーザーの出力を抑えることができ、製造コストの抑制等を図ることができる。
【００１１】
手段２．前記成形品本体の表面には凹部が形成され、
前記印刷層は、前記凹部の内側に形成されていることを特徴とする手段１に記載の樹脂成形品。
【００１２】
手段２によれば、成形品本体の表面に印刷された印刷層が擦れて剥がれてしまうといった事態を抑制することができ、識別情報の視認性を比較的長期にわたって維持することができる。
【００１３】
尚、「前記印刷層は、前記凹部の内周面から離間して形成されていること」としてもよい。この場合、印刷層が凹部内周面に接触して、或いは、内周面のぎりぎりにまで形成される場合に比べ、印刷層の形成し易さの向上を図ることができる。さらに、印刷層の除去を行う場合に、印刷層のうち凹部内周面に隣接、或いは、近接して形成された部位が除去され難い（残存してしまう）といった事態を回避することができる。
【００１４】
手段３．同一の態様をなす前記情報表示部が、前記成形品本体の線対称位置、又は、点対称位置に形成されていることを特徴とする手段１又は２に記載の樹脂成形品。
【００１５】
手段３によれば、情報表示部の確認（２次元コードリーダーでの読取り等）に際しての作業性の向上や、情報表示部の確認作業を行うための設備等にかかるコストの低減等を図ることができる。
【図面の簡単な説明】
【００１６】
【図１】樹脂成形品としての容器を示す斜視図である。
【図２】図１のＪ部を拡大して示す斜視図である。
【図３】印刷層形成前の容器を示す斜視図である。
【図４】印刷層形成後の容器を示す斜視図である。
【発明を実施するための形態】
【００１７】
以下に、一実施形態について図面を参照して説明する。図１等に示すように、容器１（折り畳みコンテナ）は、相対する一対の長辺部と相対する一対の短辺部とを備える略矩形板状の底壁部３を有する底壁構成部２と、底壁部３の長辺部に対応して回動可能に取付けられた長辺側側壁部７と、底壁部３の短辺部に対応して回動可能に取付けられた短辺側側壁部８とを備えている。本実施形態では、底壁構成部２、長辺側側壁部７、及び、短辺側側壁部８はポリプロピレンにより構成されている。
【００１８】
底壁構成部２は、底壁部３の各長辺部に沿って底壁部３から上方に突出する長辺側土台部４と、底壁部３の各短辺部に沿って底壁部３から上方に突出する短辺側土台部５とを備えている。本実施形態では、長辺側側壁部７及び短辺側側壁部８は、それぞれ長辺側土台部４及び短辺側土台部５に対し回動可能に支持されており、それぞれ土台部４、５の上方に立設される起立位置と、底壁部３の上方に折り畳まれる寝かせ位置との間を回動変位可能に構成されている。
【００１９】
また、長辺側土台部４の底壁部３からの突出長は、短辺側土台部５の底壁部３からの突出長よりも長くなっている。さらに、各短辺側土台部５は、相対する一対の長辺側土台部４の内側面同士を連結するようにして設けられている。このため、本実施形態では、短辺側側壁部８を先に畳まないと、長辺側側壁部７を畳むことができないようになっており、容器１を折り畳んだ状態（全ての側壁部７、８を寝かせ位置とした非使用状態）では、短辺側側壁部８が、底壁部３の上面に重なる（対面）ようにして畳まれ、長辺側側壁部７が、畳まれた短辺側側壁部８の上側に重なるようにして畳まれる。また、容器１を上方に開口する箱型に組み立てた状態（全ての側壁部７、８を起立位置とした使用状態）とすると、各側壁部７、８の上面がほぼ面一となるように構成されている。加えて、短辺側土台部５の底壁部３からの突出長は、短辺側側壁部８の厚みとほぼ同じであり、寝かせ位置にある短辺側側壁部８の上面と、短辺側土台部５の上縁とがほぼ面一とされる。さらに、長辺側側壁部７の底壁部３からの突出長は、短辺側側壁部８の厚みと長辺側側壁部７の厚みとを足した長さよりも長く、寝かせ位置にある長辺側側壁部７の上面は、長辺側土台部４の上面よりも下方に位置するようになっている。
【００２０】
さて、本実施形態では、樹脂成形品としての底壁構成部２には、長辺側土台部４の外面側において、識別情報としての２次元コード１２（例えば、ＱＲコード；登録商標）を表示する情報表示部１１が設けられている。図２に示すように、情報表示部１１は、長辺側土台部４の外面（本例では、正面視した場合の右側の位置）に対してスクリーン印刷を行うことによって形成され、底壁構成部２とは異なる色相の印刷層１３と、２次元コード１２に対応して、印刷層１３の一部にレーザー光が照射されることで当該印刷層１３の一部が除去された除去部１４とを有している。
【００２１】
本実施形態の印刷層１３は、エポキシ樹脂系の２液反応型インクによって形成されている。また、底壁構成部２の本体（樹脂形成部分；以下、「成形品本体２１」とも称する）が黒色であるのに対し、印刷層１３は白色となっている。さらに、印刷層１３の厚みは、１０μｍ〜１００μｍ（例えば、６０μｍ）とされている。そして、除去部１４において成形品本体２１の黒色が露出することによって、印刷層１３と除去部１４との色相差により、２次元コード１２が表示されるようになっている。尚、除去部１４において、印刷層１３は除去されることとなるが、成形品本体２１は削られないように設定されている。
【００２２】
また、長辺側土台部４の外面には凹部２２が形成され、印刷層１３は、凹部２２の内側に形成されている。さらに、印刷層１３は、凹部２２の内周面から離間して形成されている。加えて、情報表示部１１は、一対の長辺側土台部４のうち一方ではなく、両方に設けられており、本実施形態では、同一の態様を成す情報表示部１１が、底壁構成部２の点対称位置に設けられている。
【００２３】
尚、底壁構成部２は、長辺側土台部４、短辺側土台部５、及び、底壁部３からなる成形品本体２１を一体的に形成する成形工程と、成形工程で形成された成形品本体２１（図３参照）の長辺側土台部４の外面に対して印刷層１３（図４参照）を形成する印刷層形成工程と、印刷層形成工程で形成された印刷層１３に対しレーザー光を照射することにより、印刷層１３が除去された除去部１４と、残存した印刷層１３との色相差によって２次元コード１２が表示されるようにマーキングを行うマーキング工程とを経ることで形成されることとなる。また、マーキング工程では、印刷層１３の除去部対応部位に対してレーザー光を１回照射するだけで除去部１４を形成するのではなく、比較的弱めのレーザー光を２回照射することにより、レーザー光の成形品本体２１への影響を抑制しつつ、除去部１４を形成している。
【００２４】
以上詳述したように、本実施形態によれば、長辺側土台部４の外面に対し成形品本体２１とは色相が異なる印刷層１３を形成し、その一部を除去することで、情報表示部１１における印刷層１３と除去部１４との色相差によって、２次元コード１２を表示することとしている。このため、成形品本体２１の構成材料においてレーザー光の照射によって熱的変化を生じるような添加剤が含まれていなくても、２次元コード１２を明確に表示することができる。従って、２次元コードリーダーで確実に、かつ、精度よく２次元コード１２の読取りを行うことができ、作業性の向上等を図ることができる。
【００２５】
また、本実施形態によれば、成形品本体２１に対し直接レーザー光の痕跡を形成するものではない。このため、底壁構成部２の製造段階における情報表示部１１に関する不良、例えば、印刷層１３や除去部１４の位置がずれている等の事態が発生した場合には、リムーバー（例えば、有機溶剤）等を用いて印刷層１３を除去し、情報表示部１１を形成し直すことができる。従って、情報表示部１１に関する不良が一旦発生しただけで底壁構成部２が不良品とされてしまう（リカバリーが困難又は不可能である）といった事態を回避することができる。さらに、印刷層１３の除去、及び、情報表示部１１の再形成といった作業を行うことで、底壁構成部２に付された識別情報（２次元コード１２）の変更を行うことも可能となり、成形品本体２１のリユースを行うことができる。
【００２６】
また、成形品本体２１に直接レーザーマーキングを行うためだけに、成形品本体２１の構成材料に前記添加剤を混入するといったことが必要ないことから、製造コストの増加を抑制することができる。さらに、構成材料に前記添加剤が含まれていない既存の樹脂成形品（既に使用されている容器等）に対しても、いわば後付けで、本実施形態の情報表示部１１を形成することができ、既存の樹脂成形品の有効利用を図ることができる。加えて、成形品本体２１の色相が前記添加剤に左右されてしまうといった事態を回避することができるとともに、成形品本体２１と印刷層１３との色相差があれば２次元コード１２を視認したり、読取ったりできるため、成形品本体２１の色相を自由に設定することができる。また、成形品本体２１に直接レーザーマーキングを行う場合に比べ、レーザーの出力を抑えることができ、製造コストの抑制等を図ることができる。
【００２７】
さらに、印刷層１３は、長辺側土台部４の外面側に形成された凹部２２の内側に形成されている。このため、成形品本体２１の表面に印刷された印刷層１３が擦れて剥がれてしまうといった事態を抑制することができ、２次元コード１２の視認性を比較的長期にわたって維持することができる。加えて、印刷層１３は、凹部２２の内周面から離間して形成されている。このため、印刷層１３が凹部２２内周面に接触して、或いは、内周面のぎりぎりにまで形成される場合に比べ、印刷層１３の形成し易さの向上を図ることができる。さらに、印刷層１３の除去を行う場合に、印刷層１３のうち凹部２２内周面に隣接して、或いは、近接して形成された部位が除去され難い（残存してしまう）といった事態を回避することができる。
【００２８】
また、同一の態様をなす情報表示部１１が、底壁構成部２の線対称位置、又は、点対称位置に形成されている。このため、例えば、ベルトコンベアに載せた容器１の進行方向と、底壁構成部２の長手方向とを合わせるようにして容器１をベルトコンベアに載せるだけで、ベルトコンベアの側方から、情報表示部１１を容器１の決まった位置に確認することができる。これにより、例えば、情報表示部１１が一方の長辺側土台部４にのみ形成されている場合のように、容器１の進行方向と、容器１の長手方向とを合わせるだけでなく、情報表示部１１が表示されている長辺側土台部４が、２次元コードリーダーが設置されている側に向くようにして設置する、或いは、ベルトコンベアの両側方から２次元コード１２を読取り可能となるように、２次元コードリーダーを左右一対で設けるといった事態を回避することができる。従って、２次元コード１２の読取作業を行うための設備等にかかるコストの低減や、読取りに際しての作業性の向上等を図ることができる。
【００２９】
尚、上記実施形態の記載内容に限定されず、例えば次のように実施してもよい。勿論、以下において例示しない他の応用例、変更例も当然可能である。
【００３０】
（ａ）上記実施形態において、情報表示部１１の形成位置、形状、大きさ等は特に限定されるものではない。例えば、同一の態様をなす情報表示部１１が、底壁構成部２の点対称位置に形成されるのではなく、線対称位置に形成されていることとしてもよいし、非対称位置に形成されてもよい。また、情報表示部１１で表示される識別情報としても、２次元コードに限定されるものではなく、例えば、コードリーダーで読取られるものの他にも、文字、記号、図形等を使用した製品名等の単に視認可能な情報を表示することとしてもよい。加えて、マーキング工程では、印刷層１３の除去部対応部位に対してレーザーを２回通り照射することにより除去部１４を形成しているが、１回で形成してもよいし、３回以上かけて（２回以上なぞるようにして）形成してもよい。
【００３１】
さらに、上記実施形態では、印刷層１３に２液反応型のインクが使用されているが、蒸発乾燥型、酸化重合型、紫外線硬化型等のその他のインクを使用することも可能である。加えて、印刷層１３の形成方法としても、特にスクリーン印刷に限定されるものではなく、ホットスタンプ印刷等のその他の印刷方法を採用してもよい。また、印刷層１３や成形品本体２１の色相についても特に限定されるものではなく、情報表示部１１の２次元コード１２が２次元コードリーダーで読取可能な程度に、印刷層１３の色相と成形品本体２１の色相とが異なっていればよい。
【００３２】
（ｂ）上記実施形態では、底壁部３の上側に側壁部７、８を重ねるようにして折り畳み可能な容器１に具体化されているが、別のタイプの容器（例えば、折り畳み不可能な容器等）に具体化することも可能である。また、物品を収容可能な容器以外の様々な樹脂成形品（例えば、パレット、机、椅子、棚、立看板等）に具体化することも可能である。
【００３３】
（ｃ）上記実施形態では、容器１（成形品本体２１）はポリプロピレンにより構成されているが、ポリエチレン、ポリカーボネート、ＰＥＴ、ポリアミド等その他の樹脂材料により構成されることとしてもよい。
【符号の説明】
【００３４】
１…容器、２…底壁構成部、３…底壁部、４…長辺側土台部、１１…情報表示部、１２…２次元コード、１３…印刷層、１４…除去部、２１…成形品本体、２２…凹部。
【図１】
2016003049.tif 000003
【図２】
2016003049.tif 000004
【図３】
2016003049.tif 000005
【図４】
2016003049.tif 000006